(57)【要約】【課題】  マイクグリップのコネクタ収納部に保護スリーブが被せられ、コネクタ収納部にマイクケーブル側の接続プラグが着脱自在に連結されるマイクロホンにおいて、コネクタ収納部に対して保護スリーブと接続プラグとを押しビスにて確実に固定する。【解決手段】  先端側でマイクユニットを支持し、後端側にコネクタ収納部１２を有するマイクグリップ１０を含み、コネクタ収納部１２の周りにゴム弾性体からなる保護スリーブ３０が着脱自在に嵌合され、コネクタ収納部１２にマイクケーブル２０側の接続プラグ２１が着脱自在に連結されるマイクロホンにおいて、コネクタ収納部１２に接続プラグ２１の抜け止め用の押しビス４０が螺合される雌ねじ孔１２ｂを形成するとともに、保護スリーブ３０に雌ねじ孔１２ｂと同軸的に位置合わせされ、押しビス４０をゴム弾性によって脱落不能に保持するビス保持孔３１を穿設する。【選択図】  図２
2006060371.tif 000002
【特許請求の範囲】
【請求項１】
先端側でマイクユニットを支持し、後端側にコネクタ収納部を有する円筒状のマイクグリップを含み、上記コネクタ収納部の周りにゴム弾性体からなる保護スリーブが着脱自在に嵌合されているとともに、上記コネクタ収納部内のコネクタにマイクケーブル側の接続プラグが着脱自在に連結されるマイクロホンにおいて、
上記コネクタ収納部に、上記接続プラグの抜け止め用の押しビスが螺合される雌ねじ孔が形成されているとともに、上記保護スリーブには、上記雌ねじ孔と同軸的に位置合わせされ上記押しビスをゴム弾性によって脱落不能に保持するビス保持孔が穿設されていることを特徴とするマイクロホン。
【請求項２】
上記押しビスは、上記雌ねじ孔と上記ビス保持孔の双方に跨り得る長さを備えていることを特徴とする請求項１に記載のマイクロホン。
【発明の詳細な説明】
【技術分野】
【０００１】
本発明は、マイクケーブルが着脱自在に接続される手持ち用のマイクロホンに関し、さらに詳しく言えば、マイクケーブルの抜け止め手段に関するものである。
【背景技術】
【０００２】
例えばステージなどで使用される手持ち用のマイクロホンには、設置・撤収の容易性を考慮してマイクロホンとマイクケーブルとがコネクタを介して着脱できるものが好ましく採用されており、その一例を図４により説明する。
【０００３】
このマイクロホンは手持ち用であることから円筒状に形成されたマイクグリップ１０を備えている。マイクグリップ１０の先端側には図示しないマイクユニットが支持されており、そのマイクユニットを保護するため、マイクグリップ１０の先端側には例えば金網体からなるガードメッシュ１１が取り付けられている。
【０００４】
マイクグリップ１０の後端側にはコネクタ収納部１２が一体に連設されており、その内部にコネクタ１３が収納されている。多くの場合、コネクタ１３にはＥＩＡＪ  ＲＣ−５２３６「音響機器用ラッチロック式丸型コネクタ」に規定されている３ピンタイプのコネクタが用いられる。
【０００５】
マイクロホンの使用時には、コネクタ収納部１２内にマイクケーブル２０側の接続プラグ２１が差し込まれコネクタ１３と接続される。接続プラグ２１には押しノブ２２によって出没操作されるラッチ爪２３が設けられ、コネクタ収納部１２側にはその相手方としての係止孔１２ａが穿設されている。
【０００６】
ラッチ爪２３は図示しないバネ手段により常態において突出している。したがって、接続プラグ２１をコネクタ収納部１２内に強制的に差し込むことにより、ラッチ爪２３が係止孔１２ａ内に入り込み接続プラグ２１が自動的にロックされ、押しノブ２２を押してラッチ爪２３によるロックを解除することにより接続プラグ２１を外すことができる。
【０００７】
手持ち用のマイクロホンは、他のマイクロホンに比べて床面などに落とされることが多い。とりわけ、マイクケーブル２０が接続されてない状態でマイクロホンがコネクタ収納部１２を下側にして落下し、その衝撃によりコネクタ収納部１２が変形した場合には、接続プラグ２１を差し込むことができなくなる。
【０００８】
また、接続プラグ２１はラッチ爪２３によりコネクタ収納部１２内にロックされるが、例えばステージなどでボーカル用として使用される場合、誤って押しノブ２２が押されて接続プラグ２１が脱落してしまうことがある。その際には大きな雑音が発生する。
【０００９】
そこで、落下衝撃からコネクタ収納部１２を保護するため、コネクタ収納部１２の周りにゴム弾性体からなる保護スリーブ３０を被せることが行われている。また、押しノブ２２の誤操作による接続プラグ２１の脱落を防止するには、例えば特許文献１に記載されているように、押しノブ２２の周りに脱着規制アダプタを取り付ければよい。
【００１０】
【特許文献１】実開平６−８５５９２号公報
【発明の開示】
【発明が解決しようとする課題】
【００１１】
しかしながら、上記脱着規制アダプタは接続プラグ２１に対する後付部品で、しかもねじ止めを要するため、その取り付け取り外しが面倒であるばかりでなく、紛失しやすいという問題がある。
【００１２】
また、保護スリーブ３０に関しては、接続プラグ２１の着脱に伴ってスリップしてコネクタ収納部１２から不用意に抜け落ちてしまうことがある。これを防止するには、接着材などにて保護スリーブ３０をコネクタ収納部１２に固定すればよいのであるが、他方において次のように問題がある。
【００１３】
まず、この手持ち用マイクロホンをマイクスタンドに保持させて使用する場合、マイクスタンドによっては保護スリーブ３０が邪魔となって装着できないことがあるため、いつでも取り外しができるようにしてお必要がある。
【００１４】
次に、コネクタ１３は内蔵の雄ねじ１３ａをドライバーで回してコネクタ収納部１２の内面に押し付けることにより、コネクタ収納部１２と電気的・機械的に接続されるが、メンテナンス上にコネクタ１３を取り外さなくてはならない場合があるため、保護スリーブ３０を接着固定することは好ましくない。
【００１５】
したがって、本発明の課題は、コネクタ収納部に保護スリーブが被せられるとともに、コネクタ収納部にマイクケーブル側の接続プラグが着脱自在に連結されるマイクロホンにおいて、極めて簡単な手段により保護スリーブを着脱可能とした状態でコネクタ収納部に保持させることができ、また、接続プラグを確実にコネクタ収納部内に固定できるようにすることにある。
【課題を解決するための手段】
【００１６】
上記課題を解決するため、本発明は、先端側でマイクユニットを支持し、後端側にコネクタ収納部を有する円筒状のマイクグリップを含み、上記コネクタ収納部の周りにゴム弾性体からなる保護スリーブが着脱自在に嵌合されているとともに、上記コネクタ収納部内のコネクタにマイクケーブル側の接続プラグが着脱自在に連結されるマイクロホンにおいて、上記コネクタ収納部に、上記接続プラグの抜け止め用の押しビスが螺合される雌ねじ孔が形成されているとともに、上記保護スリーブには、上記雌ねじ孔と同軸的に位置合わせされ上記押しビスをゴム弾性によって脱落不能に保持するビス保持孔が穿設されていることを特徴としている。
【００１７】
本発明において、上記押しビスは、上記雌ねじ孔と上記ビス保持孔の双方に跨り得る長さを備えていることが好ましい。これによれば、接続プラグの抜け止めを解いても押しビスを介して保護スリーブがコネクタ収納部に保持される。
【発明の効果】
【００１８】
本発明によれば、少なくとも１本の押しビスによってコネクタ収納部に対する保護スリーブの保持と、接続プラグの抜け止めを確実に行うことができる。また、保護スリーブをコネクタ収納部から外したとしても、押しビスが保護スリーブのビス保持孔内に保持されるため、脱落・紛失するおそれもない。
【発明を実施するための最良の形態】
【００１９】
次に、図１ないし図３により本発明の実施形態について説明するが、本発明はこれに限定されるものではない。図１は本発明の要部を分解して示す断面図，図２は保護スリーブを固定した状態を示す断面図，図３は接続プラグを固定した状態を示す断面図である。なお、先の図４で説明した従来例に含まれている構成要素のうち、特に変更を要しないものについては、その参照符号をそのまま用いる。
【００２０】
まず、図１を参照して、このマイクロホンは手持ち用であることから、円筒状に形成されたマイクグリップ１０を備えている。通常、マイクグリップ１０は黄銅合金もしくはアルミニウムなどの金属製であるが、場合によっては合成樹脂から作られることもある。
【００２１】
マイクグリップ１０の先端側には図示しないマイクユニットが支持され、そのマイクユニットを機械的衝撃から保護するため、マイクグリップ１０の先端側には例えば金網からなるガードメッシュ１１が被せられている。手持ち用マイクロホンの場合、マイクユニットにはダイナミック型が採用されるが、コンデンサ型マイクユニットが用いられてもよい。
【００２２】
マイクグリップ１０の後端側にはコネクタ収納部１２が円筒状として一体に連設されており、その内部にはコネクタ１３が収納されている。コネクタ１３は先に説明した従来例と同じくＥＩＡＪ  ＲＣ−５２３６「音響機器用ラッチロック式丸型コネクタ」に規定されている３ピンタイプのコネクタであってよい。
【００２３】
図２および図３に示すように、コネクタ収納部１２にはマイクケーブル２０側の接続プラグ２１が差し込まれコネクタ１３と接続される。接続プラグ２１に関しても先に説明した従来例と同じであってよく、接続プラグ２１には押しノブ２２によって出没操作されるラッチ爪２３が設けられ、コネクタ収納部１２側にはその相手方としての係止孔１２ａが穿設されている。
【００２４】
再び図１を参照して、コネクタ収納部１２には落下衝撃から保護するためのゴム弾性体からなる保護スリーブ３０が被せられる。この例では、コネクタ収納部１２はマイクグリップ１０よりも一回り小径に形成されているが、マイクグリップ１０と同径とされてもよい。
【００２５】
本発明によると、コネクタ収納部１２には押しビス４０をコネクタ収納部１２内に向けて出没させるための雌ねじ孔１２ｂが形成される。また、保護スリーブ３０にも雌ねじ孔１２ｂと同軸的に位置合わせされ、押しビス４０をゴム弾性によって脱落不能に保持するビス保持孔３１が穿設される。
【００２６】
このビス保持孔３１は押しビス４０よりも若干小さな孔径を有する単なる透孔であってよく、押しビス４０をビス保持孔３１内に強制的にねじ込んで雌ねじ孔１２ｂと螺合することにより、図２に示すように、保護スリーブ３０を押しビス４０を介してコネクタ収納部１２に固定することができる。これから分かるように、押しビス４０の長さは雌ねじ孔１２ｂとビス保持孔３１の双方に跨り得る長さであることが好ましい。
【００２７】
マイクロホンの使用時には、マイクケーブル２０側の接続プラグ２１がコネクタ収納部１２内に差し込まれるが、使用中に押しノブ２２が誤って押されてラッチ爪２３によるロックが解除されたとしても接続プラグ２１がコネクタ収納部１２から脱落しないようにする場合には、押しビス４０をさらに回して、図３に示すように接続プラグ２１に強く押し付ける。これにより、接続プラグ２１の抜けを確実に防止できる。
【００２８】
接続プラグ２１を外す場合には押しビス４０を逆に回して雌ねじ孔１２ｂ内に引き込めばよい。また、例えばこのマイクロホンを図示しないマイクスタンドに装着する際に保護スリーブ３０が邪魔であったり、メンテナンスを行う上で保護スリーブ３０をコネクタ収納部１２から外す必要がある場合には、押しビス４０をさらに逆に回して雌ねじ孔１２ｂとの螺合を解けばよい。
【００２９】
このように、雌ねじ孔１２ｂとの螺合を解いても、押しビス４０を故意的にビス保持孔３１から引き抜かないかぎり、押しビス４０がビス保持孔３１内に保持されるため、押しビス４０を紛失するおそれがない。
【図面の簡単な説明】
【００３０】
【図１】本発明によるマイクロホンの要部を分解して示す断面図。
【図２】本発明において保護スリーブを固定した状態を示す断面図。
【図３】本発明において接続プラグを固定した状態を示す断面図。
【図４】従来例を分解して示す断面図。
【符号の説明】
【００３１】
１０  マイクグリップ
１２  コネクタ収納部
１２ａ  係止孔
１２ｂ  雌ねじ孔
１３  コネクタ
２０  マイクケーブル
２１  接続プラグ
３０  保護スリーブ
３１  ビス保持孔
４０  押しビス
【図１】
2006060371.tif 000003
【図２】
2006060371.tif 000004
【図３】
2006060371.tif 000005
【図４】
2006060371.tif 000006